(57)【要約】【課題】  沿線作業現場に設置される受信機と、沿線作業現場の先方の見張り地点に設置される送信機と、両者間を接続する無線の携帯電話伝送路により構成される列車接近警報装置を提供する。【解決手段】  音響受信部を内蔵するカメラ１１と、物体感知センサ１２と、カメラ１１から入力される映像信号および音響信号と物体感知センサ１２から入力される物体感知音響信号とを信号処理して携帯電話伝送路に送出するテレビ電話機能を有する通信アダプタ１３とを有して見張り地点に設置される送信機１０を具備し、テレビ電話機能を有する携帯電話２１と、携帯電話２１に接続して受信した画像を拡大表示する表示器２６を有すると共に受信した音響信号および物体感知音響信号を再生するスピーカ２４を有するモニタ２２とを有して沿線作業現場に設置される受信機２０を具備する列車接近警報装置。【選択図】  図１
2007045277.tif 000002
【特許請求の範囲】
【請求項１】
音響受信部を内蔵するカメラと、物体感知センサと、カメラから入力される映像信号および音響信号と物体感知センサから入力される物体感知音響信号とを信号処理して携帯電話伝送路に送出するテレビ電話機能を有する通信アダプタとを有して見張り地点に設置される送信機を具備し、
テレビ電話機能を有する携帯電話と、携帯電話に接続して受信した画像を拡大表示する表示器を有すると共に受信した音響信号および物体感知音響信号を再生するスピーカを有するモニタとを有して沿線作業現場に設置される受信機を具備することを特徴とする列車接近警報装置。
【請求項２】
請求項１に記載される列車接近警報装置において、
物体感知センサは、赤外線センサ或いは超音波センサより成ることを特徴とする列車接近警報装置。
【請求項３】
請求項１および請求項２の内の何れかに記載される列車接近警報装置において、
カメラの内蔵する音響受信部の近傍に電子メトロノームの如き一定時間間隔で音響を発生する繰り返し音響発生装置を具備し、
カメラが撮像しようとしている領域内に発光ダイオードの如き点光源により構成される点滅光源を配置したことを特徴とする列車接近警報装置。
【発明の詳細な説明】
【技術分野】
【０００１】
この発明は、列車接近警報装置に関し、特に、沿線作業現場に設置される受信機と、沿線作業現場の先方の見張り地点に設置される送信機と、両者間を接続する無線の携帯電話伝送路により構成される列車接近警報装置に関する。
【背景技術】
【０００２】
鉄道線路の種々の沿線作業は、列車の走行していない列車の合間を見計らって実施している。この場合の列車通過時の事故防止対策としては、一般に、列車見張り係員を沿線作業現場付近に配置し、作業実施中に接近して来る列車を監視させる方法を採用している。この列車の見張りは、沿線作業現場の１ｋｍ程の先方に見張り係員を立て、この見張り係員と作業現場との間に列車の接近を作業現場に伝達する見張り係員を更に立てる必要がある。鉄道線路の見通しの良くない曲線区間においては、特に、見張り係員を立てる配置間隔を狭める必要があり、必要とされる見張り係員の数は増大する。
【０００３】
沿線作業現場における列車見張り係員の列車見張り業務の責任は重いが、この見張り業務自体は単調な作業であるので、注意を怠り、或いは作業を失念することその他の原因により事故を生起する恐れがある。そこで、列車見張りの補助装置として列車接近警報装置を使用して列車見張り係員の心理的、生理的原因による事故の発生を防止することが行われている。列車接近警報装置としては、特許文献１〜４に記載される如きものが知られている。
列車接近警報装置は、沿線作業現場に設置した列車接近警報装置の本体と、沿線作業現場の１ｋｍ程度離隔した列車到来方向に設置した列車通過検知器とより成り、本体と列車通過検知器とはケーブルその他の伝送線路を介して接続されている。列車通過検知器により列車検知信号が検知されると、この列車検知信号はケーブルを介して沿線作業現場に設置される列車接近警報装置の本体に伝送される。これにより、列車接近警報装置は警報音発生器を起動して警報音を鳴動させ、沿線作業現場の作業員に列車の接近を報知する。
【特許文献１】特開平０３−３０１１１４
【特許文献２】特開平０５−０１６８０５
【特許文献３】特開平１０−２１１８７９
【特許文献４】特開平１０−３２４２４３
【発明の開示】
【発明が解決しようとする課題】
【０００４】
鉄道線路に関連する工事としては、１箇所において長期間に亘って作業が実施される大規模工事と、点検の如く短期間で次の場所に移動して作業が実施される小規模工事とがある。大規模工事の場合は、工事の全作業量および全作業時間に占める列車接近警報装置を設置する作業量および作業時間の割合は僅かなものであるが、短期間で次の場所に移動して作業が実施される小規模工事の場合は、僅かな作業量および作業時間毎に列車接近警報装置を設置することとなり、この割合は大きくなる。僅かな作業量および作業時間毎に、１ｋｍに及ぶケーブルの敷設および撤去をすることは容易ではない。更に、比較的短時間工事、或いは連続的に移動しながら実施する工事においては、列車通過検知器の設置に時間、工夫を要したり、作業に熟練した作業員を必要としたりするところから、更に、列車通過検知器の設置箇所の設置条件が不適切であるところから、列車接近警報装置の使用自体を敬遠することにもつながる問題を抱えている。
【０００５】
この発明は、送信側の通信アダプタを具備するカメラと受信側の携帯電話との間で無線の携帯電話伝送路を介してテレビ電話通信を実施し、カメラにより撮像された接近する列車の画像と物体感知センサが発生する物体感知音響信号を通信アダプタを介して受信側に送出し、これを受信側の携帯電話により受信する構成を採用することにより、受信側である沿線作業現場における専任の見張り員が受信機のモニタの表示器とスピーカの発生する警報音に絶えず注目することで列車の接近を監視して、この見張り員により作業員に対して退避命令を発令する、上述の問題を解消した列車接近警報装置を提供する。
【課題を解決するための手段】
【０００６】
請求項１：音響受信部を内蔵するカメラ１１と、物体感知センサ１２と、カメラ１１から入力される映像信号および音響信号と物体感知センサ１２から入力される物体感知音響信号とを信号処理して携帯電話伝送路に送出するテレビ電話機能を有する通信アダプタ１３とを有して見張り地点に設置される送信機１０を具備し、
テレビ電話機能を有する携帯電話２１と、携帯電話２１に接続して受信した画像を拡大表示する表示器２６を有すると共に受信した音響信号および物体感知音響信号を再生するスピーカ２４を有するモニタ２２とを有して沿線作業現場に設置される受信機２０を具備する列車接近警報装置を構成した。
【０００７】
そして、請求項２：請求項１に記載される列車接近警報装置において、
物体感知センサ１２は、赤外線センサ或いは超音波センサより成る列車接近警報装置を構成した。
また、請求項３：請求項１および請求項２の内の何れかに記載される列車接近警報装置において、
カメラ１１の内蔵する音響受信部の近傍に電子メトロノームの如き一定時間間隔で音響を発生する繰り返し音響発生装置１７を具備し、
カメラ１１が撮像しようとしている領域内に発光ダイオードの如き点光源により構成される点滅光源１６を配置した列車接近警報装置を構成した。
【発明の効果】
【０００８】
この発明によれば、通信アダプタを具備する送信側のカメラと受信側の携帯電話との間で、携帯電話伝送路を介してテレビ電話通信を実施し、カメラにより撮像された接近する列車の画像と物体感知センサの発生する警報音を通信アダプタを介して送出し、これを携帯電話により受信する構成を採用することにより、送信側である見張り地点に列車が接近したことを動画像と警報音で受信側である沿線作業現場に即時に認識させることができる。
そして、カメラの内蔵する音響受信部の近傍に繰り返し音響発生装置を具備すると共にカメラが撮像しようとしている領域内に点滅光源を配置し、この繰り返し音響と点滅光とを受信側である沿線作業現場の見張り員に認識させることにより、列車接近警報装置の携帯電話伝送路を含む画像を伝送する装置の側の故障の発生、および音響を伝送する装置の側の故障の発生を常に監視することができる。
【発明を実施するための最良の形態】
【０００９】
発明を実施するための最良の形態を図１および図２を参照して説明する。図１は送信機を示し、図２は受信機を示す。
実施例において、列車接近警報装置は、沿線作業現場の１ｋｍ程の先方の見張り地点に設置される送信機１０と、沿線作業現場に設置される受信機２０と、両者間を接続する無線の携帯電話伝送路により構成される。
図１を参照するに、見張り地点に設置される送信機１０は、音響受信部を内蔵するカメラ１１、物体感知センサ１２、カメラ１１から入力される映像信号および音響信号と物体感知センサ１２から入力される音声信号を信号処理して携帯電話伝送路に送出するテレビ電話機能を有する通信アダプタ１３を具備している。上述した通り、カメラ１１は図示されない音響受信部を内蔵している。感知センサ１２は、接近する物体を感知して物体感知音響信号を発生すると共に警報音をも発生する。１４は送信側電源、１５は三脚、１６は点滅光源である。１７は電子メトロノームの如き繰り返し音響発生装置であり、カメラ１１に内蔵される音響受信部の近傍に設置されて一定時間間隔で音響を発生する。これらカメラ１１、通信アダプタ１３、繰り返し音響発生装置１７はハウジング１９内に収容され、物体感知センサ１２、点滅光源１６と共に三脚１５により担持されている。送信側電源１４としては、蓄電池或いは小型発電機を使用する。
【００１０】
図２を参照するに、沿線作業現場に設置される受信機２０は、テレビ電話機能を有する携帯電話２１、携帯電話２１により受信した画像を表示器２６に拡大表示するモニタ２２を具備している。携帯電話２１およびモニタ２２は三脚２５により担持されている。受信側電源２３としては、蓄電池或は小型発電機を使用する。２４はスピーカである。１６’は受信した画像における点滅光源像を示す。
送信機１０のテレビ電話機能を有する通信アダプタ１３は、携帯電話事業者との間で一般の携帯電話と同様の契約を結んでいる機器である。物体感知センサ１２としては、赤外線センサ、或いは超音波センサを使用する。物体感知センサ１２は、接近する物体を感知して物体感知音響信号を発生すると共に警報音を発生し、これを送信してモニタ２２を監視している見張り員の注意を喚起する働きをする。そして、物体感知センサ１２およびカメラ１１の設置される見張り地点は一般に無人であるが、物体感知センサ１２は列車以外の物体にも反応してこれを検知することができるので、カメラ１１に接近する列車以外の部外者、動物を検知して警報音を発生し、これらに対してカメラ１１に接近しない様に警告をする役割をもする。
【００１１】
ここで、沿線作業現場において鉄道線路に関連する工事を実施するに際して、受信側である沿線作業現場に受信機２０を設置し、送信側である沿線作業現場のおよそ１ｋｍ程度の先方の見張り地点に送信機１０を設置して、送信側のカメラ１１に接続する通信アダプタ１３と受信側の携帯電話２１との間でテレビ電話通信を実施する。現実的ではないが、携帯電話２１とテレビ電話機能を有する通信アダプタ１３は、工事中は相互に通話状態にしておくものとする。カメラ１１により撮像された接近する列車の画像と物体感知センサ１２の発生する物体感知音響信号を通信アダプタ１３から無線の携帯電話伝送経路を介して送出し、これを携帯電話２１により受信する。携帯電話２１により受信された画像は、モニタ２２に伝送し、表示器２６に拡大表示して専任の見張り員により認識される。
【００１２】
先方の見張り地点に列車が接近した場合、上述した通りに発生せしめられた警報音と動画像は受信側に伝送される。これにより、受信側である沿線作業現場における専任の見張り員が受信機のモニタの表示器２６と警報音を絶えず注目することで列車の接近を監視し、この見張り員による受信機のモニタの認識結果に基づいて作業員に対して退避命令を発令する。
この発明は、送信側である沿線作業現場のおよそ１ｋｍ程度の先方の見張り地点に設置される送信機１０と受信側である沿線作業現場に設置される受信機２０とを接続する信号伝送路として、自前の伝送路を採用せずに携帯電話伝送路を採用している。この場合、伝送路に起因する故障に対する沿線作業現場における安全の確保は重要なことである。この発明は、更に、以下の構成を具備して、携帯電話伝送路を含む画像を伝送する装置の側および音響を伝送する装置の側の故障に対する沿線作業現場における安全の確保に対処している。
【００１３】
カメラ１１の内蔵する音響受信部の近傍に電子メトロノームの如き一定時間間隔で音響を発生する繰り返し音響発生装置１７を具備し、連続して発生する音響を音響受信部により常に受信し、音響受信部の発生する繰り返し音響信号を通信アダプタにより信号処理して携帯電話伝送路を介して、受信側である沿線作業現場に設置される受信機２０に送信し、受信側においてスピーカ２４の発生する繰り返し音響を確認する構成を採用する。ここで、受信側において受信発生している繰り返し音響が途絶したり、或いは音響に異常が発生した場合、これにより音響を伝送する装置の側に故障が発生したものと判断する。
【００１４】
そして、カメラ１１が撮像しようとしている領域内に発光ダイオードの如き点光源により構成される点滅光源１６を配置し、受信側の表示器２６の受信画像中において点滅光源が点滅していることを示す点滅光源像１６’を確認する構成を採用する。ここで、受信側において光源の点滅光源像１６’を確認することができない場合、これにより画像を伝送する装置の側に故障が発生したものと判断する。
【図面の簡単な説明】
【００１５】
【図１】送信機の実施例を説明する図。
【図２】受信機の実施例を説明する図。
【符号の説明】
【００１６】
１０  送信機                        １１  カメラ
１２  物体感知センサ                １３  通信アダプタ
１４  送信側電源                    １５  三脚
１６  点滅光源                      １６’点滅光源像
１７  繰り返し音響発生装置          １９  ハウジング
２０  受信機                        ２１  携帯電話
２２  モニタ                        ２３  受信側電源
２４  スピーカ                      ２５  三脚
２６  表示器
【図１】
2007045277.tif 000003
【図２】
2007045277.tif 000004